【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
像担持体、像形成手段、転写手段、クリーニング手段及び定着手段を有し、前記像形成手段、前記転写手段及び前記クリーニング手段が、前記像担持体の移動方向に前記の順序で前記像担持体に対向して配置されるとともに、前記定着手段が前記転写手段を通過した記録材の搬送路中に配置された画像形成装置において、
前記転写手段と前記クリーニング手段との間の空気を排気する排気手段及び該排気手段の排気量を制御する制御手段を有することを特徴とする画像形成装置。
【請求項２】
前記排気手段は排気ファンを有し、前記制御手段は前記排気ファンを制御することを特徴とする請求項１に記載の画像形成装置。
【請求項３】
前記制御手段は、前記像形成手段内の現像手段からの情報に基づいて前記排気手段を制御することを特徴とする請求項２に記載の画像形成装置。
【請求項４】
前記制御手段は、前記現像手段の作動情報から現像剤の使用履歴情報を作成し、該使用履歴情報に基づいて前記排気手段を制御することを特徴とする請求項３に記載の画像形成装置。
【請求項５】
前記クリーニング手段において回収されたトナーをリサイクルするリサイクル手段を有するとともに、前記制御手段は、トナーのリサイクル比率の情報を作成し、該リサイクル比率の情報に基づいて前記排気手段を制御することを特徴とする請求項１〜４のいずれか１項に記載の画像形成装置。
【請求項６】
トナー補給手段を有するとともに、前記制御手段は、前記リサイクル手段の作動時間と前記トナー補給手段の作動時間とから前記リサイクル比率の情報を作成することを特徴とする請求項５に記載の画像形成装置。
【請求項７】
前記像担持体上のトナー像の濃度を検知する濃度検知手段を有するとともに、前記制御手段は、前記濃度検知手段からの濃度情報及び現像条件に基づいて前記排気手段を制御することを特徴とする請求項５又は請求項６に記載の画像形成装置。
【請求項８】
前記クリーニング手段近傍の温度を検知する温度検知手段を有するとともに、前記制御手段は、前記温度検知手段からの温度情報に基づいて前記排気手段を制御することを特徴とする請求項１〜７のいずれか１項に記載の画像形成装置。
【請求項９】
前記制御手段は、前記定着手段の作動情報に基づいて前記排気手段を制御することを特徴とする請求項１〜８のいずれか１項に記載の画像形成装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
１．像担持体、像形成手段、転写手段、クリーニング手段及び定着手段を有し、前記像形成手段、前記転写手段及び前記クリーニング手段が、前記像担持体の移動方向に前記の順序で前記像担持体に対向して配置されるとともに、前記定着手段が前記転写手段を通過した記録材の搬送路中に配置された画像形成装置において、
前記転写手段と前記クリーニング手段との間の空気を排気する排気手段及び該排気手段の排気量を制御する制御手段を有することを特徴とする画像形成装置。
【手続補正７】
【補正対象書類名】明細書
【補正対象項目名】００１１
【補正方法】変更
【補正の内容】
【００１１】
２．前記排気手段は排気ファンを有し、前記制御手段は前記排気ファンを制御することを特徴とする前記１に記載の画像形成装置。
【手続補正８】
【補正対象書類名】明細書
【補正対象項目名】００１２
【補正方法】変更
【補正の内容】
【００１２】
３．前記制御手段は、前記像形成手段内の現像手段からの情報に基づいて前記排気手段を制御することを特徴とする前記２に記載の画像形成装置。
【手続補正９】
【補正対象書類名】明細書
【補正対象項目名】００１３
【補正方法】変更
【補正の内容】
【００１３】
４．前記制御手段は、前記現像手段の作動情報から現像剤の使用履歴情報を作成し、該使用履歴情報に基づいて前記排気手段を制御することを特徴とする前記３に記載の画像形成装置。
【手続補正１０】
【補正対象書類名】明細書
【補正対象項目名】００１４
【補正方法】変更
【補正の内容】
【００１４】
５．前記クリーニング手段において回収されたトナーをリサイクルするリサイクル手段を有するとともに、前記制御手段は、トナーのリサイクル比率の情報を作成し、該リサイクル比率の情報に基づいて前記排気手段を制御することを特徴とする前記１〜４のいずれか１項に記載の画像形成装置。
【手続補正１１】
【補正対象書類名】明細書
【補正対象項目名】００１５
【補正方法】変更
【補正の内容】
【００１５】
６．トナー補給手段を有するとともに、前記制御手段は、前記リサイクル手段の作動時間と前記トナー補給手段の作動時間とから前記リサイクル比率の情報を作成することを特徴とする前記５に記載の画像形成装置。
【手続補正１２】
【補正対象書類名】明細書
【補正対象項目名】００１６
【補正方法】変更
【補正の内容】
【００１６】
７．前記像担持体上のトナー像の濃度を検知する濃度検知手段を有するとともに、前記制御手段は、前記濃度検知手段からの濃度情報及び現像条件に基づいて前記排気手段を制御することを特徴とする前記５又は前記６に記載の画像形成装置。
【手続補正１３】
【補正対象書類名】明細書
【補正対象項目名】００１７
【補正方法】変更
【補正の内容】
【００１７】
８．前記クリーニング手段近傍の温度を検知する温度検知手段を有するとともに、前記制御手段は、前記温度検知手段からの温度情報に基づいて前記排気手段を制御することを特徴とする前記１〜７のいずれか１項に記載の画像形成装置。
【手続補正１４】
【補正対象書類名】明細書
【補正対象項目名】００１８
【補正方法】変更
【補正の内容】
【００１８】
９．前記制御手段は、前記定着手段の作動情報に基づいて前記排気手段を制御することを特徴とする前記１〜８のいずれか１項に記載の画像形成装置。
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】変更
【補正の内容】
【００４０】
【発明の効果】
請求項１又は２の発明により、種々の条件下において良好なトナー飛散防止効果を維持することが可能になり、安定して高画質の画像を形成する画像形成装置が実現される。
【手続補正１９】
【補正対象書類名】明細書
【補正対象項目名】００４１
【補正方法】変更
【補正の内容】
【００４１】
請求項３又は４の発明により、現像剤の疲労等によりトナーの帯電量が変化した場合にも良好なトナー飛散防止性能を維持することが可能になり、安定して高画質の画像を形成する画像形成装置が実現される。
【手続補正２０】
【補正対象書類名】明細書
【補正対象項目名】００４２
【補正方法】変更
【補正の内容】
【００４２】
リサイクルトナーにはトナーの帯電量を低下させる作用があり、リサイクルトナーを用いた画像形成装置においては、トナー飛散が多くなる傾向があるが、請求項５又は６の発明により、リサイクルトナーを用いた画像形成装置においてもトナー飛散が効果的に防止される。
【手続補正２１】
【補正対象書類名】明細書
【補正対象項目名】００４３
【補正方法】変更
【補正の内容】
【００４３】
請求項７の発明により、画像濃度が高くなり、トナー飛散が発生し易い状態においてもトナー飛散が効果的に防止される。
【手続補正２２】
【補正対象書類名】明細書
【補正対象項目名】００４５
【補正方法】変更
【補正の内容】
【００４５】
請求項８の発明により、クリーニング手段の温度の上昇を防止しているので、クリーニング手段において回収されるリサイクルトナーの温度の上昇に起因するトナー飛散が効果的に防止される。
【手続補正２３】
【補正対象書類名】明細書
【補正対象項目名】００４６
【補正方法】変更
【補正の内容】
【００４６】
請求項９の発明により、定着手段の発生熱による機内温度の上昇を類推し排気ファンを制御するので、リサイクルトナーの温度上昇に起因するトナー飛散が効果的に抑制される。